【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
一緒に蝶着されて手荷物ハウジングアセンブリを提供し、ジッパーサブシステムを使用して密閉される前側ハウジング部および後側ハウジング部と、
前記手荷物ハウジングアセンブリに取り付けられている１組のスピナー車輪と、
前記後側ハウジング部に取り付けられ、共通の平面に実質的に配設されている１対の伸縮式に延長するロッドに接続された、格納構成および伸長構成のいずれかに配置可能であるハンドル構造を有する伸縮式に延長可能なハンドルおよび充電式電源アセンブリと、を備える手荷物システムであって、
前記伸縮式に延長可能なハンドルおよび充電式電源アセンブリは、前記１対の伸縮式に延長するロッドと実質的に同じ平面に配設されている充電式バッテリ蓄電モジュールに作動可能に接続される１つまたは複数のＵＳＢ型ＤＣ電源ポートおよびＵＳＢ型ＤＣ充電ポートとを支持する基部ハウジングコンポーネントを備え、
前記ハンドル構造が前記格納構成に構成されるとき、前記１つまたは複数のＵＳＢ型ＤＣ電源ポートおよび前記ＵＳＢ型ＤＣ充電ポートが前記ハンドル構造の下に配設され、
前記ハンドル構造が前記伸長構成に構成されるとき、前記ハンドル構造は前記スピナー車輪で前記手荷物システムを引き動かすために使用することができ、前記１つまたは複数のＵＳＢ型ＤＣ電源ポートおよび前記ＵＳＢ型ＤＣ充電ポートが、１つまたは複数の電力消費機器にＤＣ電力を供給するため、および前記充電式バッテリ蓄電モジュールを充電するためにもアクセス可能である、手荷物システム。
【請求項２】
前記伸縮式に延長可能なハンドルおよび充電式電源アセンブリは、
電源コードによって、ＡＤ／ＤＣ電源アダプタに作動可能に接続されるバッテリ充電回路と、
前記充電式バッテリ蓄電モジュール、前記バッテリ充電回路およびＡＣ／ＤＣ電源アダプタに作動可能に接続されるとともに、電気機器のＵＳＢプラグを受け入れて、これらの機器に調節的にＤＣ電力を供給するために、前記１つまたは複数のＵＳＢ型電力出力ポートにも作動可能に接続される電力スイッチング制御回路と、をさらに備える、請求項１に記載の手荷物システム。
【請求項３】
前記前側ハウジング部は、前側ハードシェルハウジング部として実現され、
前記後側ハウジング部は、後側ハードシェルハウジング部として実現され、
前記前側および後側のハードシェルハウジング部は一緒に蝶着されて、ハードシェルハウジングアセンブリを提供し、
前記伸縮式に延長可能なハンドルおよび充電式電源アセンブリは、前記後側ハードシェルハウジング部に取り付けられている、ハードシェル手荷物システムである請求項１に記載の手荷物システム。
【請求項４】
前記前側および後側のハードシェルハウジング部は２部構成のジッパーサブシステムを使用して密閉された、請求項１に記載の手荷物システム。
【請求項５】
縦持ち構成および横持ち構成からなる２つの可能な構成のうちの１つで、前記手荷物システムを持ち運ぶための１組の上部および側部ハンドルをさらに備える、請求項１に記載の手荷物システム。
【請求項６】
前記基部ハウジングコンポーネントに蝶着されて、前記基部ハウジングコンポーネントに形成される前記１組のＵＳＢ型ＤＣ電源ポートおよび前記ＵＳＢ型ＤＣ充電ポートを覆うパワーポートカバーパネルをさらに備える、請求項１に記載の手荷物システム。
【請求項７】
一体型ジッパー機構を使用して一緒に蝶着されて密閉されて、窪んだ車輪格納部が設けられているハウジングアセンブリを提供する前側ハウジング部および後側ハウジング部と、
４つの窪んだ車輪格納部に取り付けられている４個１組のスピナー車輪と、
４個の前記スピナー車輪で手荷物システムを引き動かすために、前記後側ハウジング部内に取り付けられて、１対の離間した伸縮式に延長可能なロッドが設けられたハンドル構造を有する伸縮式ハンドルアセンブリと、を備える手荷物システムであって、
前記伸縮式ハンドルアセンブリは、前記１対の離間した伸縮式に延長可能なロッドと実質的に同じ平面に配設されている充電式バッテリ蓄電モジュールと、１つまたは複数のＵＳＢパワーポートが前記ハンドル構造の下に配設されて、スマートフォンまたはモバイルコンピューティングシステムを含む１つまたは複数の電力消費機器に電力を供給するようになされており、外部電源を使用して充電式バッテリパワーモジュールを充電するように適合されたＵＳＢ充電ポートとを備え、
前記伸縮式ハンドルアセンブリは格納構成および伸長構成を有し、
前記格納構成中、前記ハンドル構造は前記ＵＳＢパワーポートのすぐ上に配設され、
前記伸長構成中、前記ハンドル構造は前記ＵＳＢパワーポート上に離れて配設されて、電力供給操作が可能になると同時に、前記ハンドル構造を使用して４個の前記スピナー車輪で前記手荷物システムを引き動かすことができる、手荷物システム。
【請求項８】
前記伸縮式ハンドルアセンブリは、（ｉ）充電式バッテリ電源モジュール、（ｉｉ）前記１対の離間した伸縮式に延長可能なロッドが貫通する前記１対のガイドポスト、ならびに（ｉｉ）前記１つまたは複数のＵＳＢ電源ポートおよび前記ＵＳＢ充電ポートを支持するための基部ハウジングコンポーネントを備える、請求項７に記載の手荷物システム。
【請求項９】
前記伸縮式ハンドルアセンブリは、
ＵＳＢまたは同様な電源コードによって、ＡＤ／ＤＣに作動可能に接続されるバッテリ充電回路と、
前記充電式バッテリ蓄電モジュール、前記バッテリ充電回路およびＡＣ／ＤＣ電源アダプタに作動可能に接続されるとともに、電気機器のＵＳＢプラグを受け入れて、これらの機器に調節的にＤＣ電力を供給するために前記１つまたは複数のＵＳＢ電力出力ポートにも作動可能に接続される電力スイッチング制御回路と、を備える、請求項７に記載の手荷物システム。
【請求項１０】
前記前側ハウジング部は、前側ハードシェルハウジング部として実現され、
前記後側ハウジング部は、後側ハードシェルハウジング部として実現され、
前記前側および後側のハードシェルハウジング部は一緒に蝶着されて、ハードシェルハウジングアセンブリを提供し、
前記伸縮式に延長可能なハンドルおよび充電式電源アセンブリは、前記後側ハードシェルハウジング部に取り付けられている、ハードシェル手荷物システムである、請求項７に記載の手荷物システム。
【請求項１１】
前記前側および後側のハードシェルハウジング部は、２部構成のジッパーサブシステムを使用して密閉される、請求項１０に記載の手荷物システム。
【請求項１２】
縦持ち構成および横持ち構成からなる２つの可能な構成のうちの１つで、前記手荷物システムを持ち運ぶための１組の上部および側部ハンドルをさらに備える、請求項１０に記載の手荷物システム。
【請求項１３】
一緒に蝶着されて一体型ジッパー機構で密閉されて、窪んだ車輪格納部が設けられた隅を有するハウジングアセンブリを提供する前側ハウジング部および後側ハウジング部と、
前記窪んだ車輪格納部に取り付けられている１組のスピナー車輪と、
前記スピナー車輪で手荷物システムを引き動かすために、前記後側ハウジング部内に取り付けられて、１対の離間した伸縮式に延長可能なロッドが設けられたハンドル構造を有する伸縮式ハンドルアセンブリと、を備える手荷物システムであって、
前記伸縮式ハンドルアセンブリは格納構成および伸長構成を有し、
前記格納構成中、前記ハンドル構造はＵＳＢパワーポートのすぐ上に配設され、
前記伸縮式ハンドルアセンブリは、
前記１対の離間した伸縮式に延長可能なロッドと実質的に同じ平面に配設されている平面幾何学形状の充電式バッテリ蓄電モジュールと、
モバイルコンピューティングシステムを含む１つまたは複数の電力消費機器に電力を供給するために、前記ハンドル構造の下に配設される１つまたは複数のＵＳＢ電源ポートと、
外部電源を使用して充電式バッテリパワーモジュールを充電するためのＵＳＢ充電ポートと、をさらに備え、
前記格納構成中、前記ハンドル構造は前記ＵＳＢパワーポートのすぐ上に配設され、
前記伸長構成中、前記ハンドル構造は前記ＵＳＢパワーポート上に離れて配設されて、電力供給操作が可能になると同時に、前記ハンドル構造を使用して４個の前記スピナー車輪で前記手荷物システムを引き動かすことができる、手荷物システム。
【請求項１４】
前記伸縮式ハンドルアセンブリは、充電式バッテリ電源モジュール、前記１対の離間した伸縮式に延長可能なロッドが貫通する前記１対のガイドポスト、ならびに前記１つまたは複数のＵＳＢ電源ポートおよび前記ＵＳＢ充電ポートを支持するための基部ハウジングコンポーネントを備える、請求項１３に記載の手荷物システム。